(57)【要約】【課題】趣向性に富んだ卓上カレンダーを実現する。【解決手段】卓上カレンダー１００のベース体１０の前面部１２に設けられている挿入口１１にスマートフォンＳを挿入して、そのベース体１０にスマートフォンＳを設置するようにすれば、卓上カレンダー１００をスマートフォンスタンドとして使用することができる。特に、ベース体１０に設置したスマートフォンＳが出力する音声の振動が、ベース体１０の連結板部１５や前面部１２に伝達されるように構成されているので、そのスマートフォンＳが出力した音声をベース体１０で増幅させて楽しむことができる。【選択図】図１
2017109467.tif 000002
【特許請求の範囲】
【請求項１】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされている卓上カレンダーであって、
前記ベース体には、スマートフォンを挿入する挿入口が設けられており、
前記挿入口から挿入されて前記ベース体に設置されたスマートフォンが出力する音声の振動が、前記ベース体に伝達されるように構成されていることを特徴とする卓上カレンダー。
【請求項２】
前記ベース体は、前記挿入口が設けられている前面部と、前記前面部との間に空間を形成する配置にある背面部と、前記前面部と前記背面部とを繋ぐように前記空間に架け渡されている連結板部とを有しており、
前記ベース体に設置されているスマートフォンが出力する音声の振動が、前記ベース体の連結板部に伝達されるように構成されていることを特徴とする請求項１に記載の卓上カレンダー。
【請求項３】
一方の端部が前記連結板部と前記前面部の連結箇所に繋がれ、他方の端部が前記連結板部と前記背面部の連結箇所に繋がれており、前記連結板部との間に空洞部を形成する配置に設けられている撓み板を備えたことを特徴とする請求項２に記載の卓上カレンダー。
【請求項４】
前記撓み板は、前記前面部と前記背面部の間で前記連結板部を跨ぐアーチ状に形成されていることを特徴とする請求項３に記載の卓上カレンダー。
【請求項５】
前記挿入口から前記ベース体に設置されているスマートフォンの画面の少なくとも一部が露出するように構成されていることを特徴とする請求項２〜４の何れか一項に記載の卓上カレンダー。
【請求項６】
前記挿入口から挿入されているスマートフォンの一部を前記ベース体の前面部に当接させるように前記スマートフォンの姿勢を保持する姿勢保持部を設けたことを特徴とする請求項２〜５の何れか一項に記載の卓上カレンダー。
【請求項７】
前記連結板部に、前記ベース体に設置されているスマートフォンに接続する充電ケーブルを挿通させる貫通孔を設けたことを特徴とする請求項２〜６の何れか一項に記載の卓上カレンダー。
【請求項８】
前記ベース体は、前面部と、前記挿入口が設けられている背面部とを有しており、
前記ベース体に設置されているスマートフォンが出力する音声の振動が、前記ベース体の前面部に伝達されるように構成されていることを特徴とする請求項１に記載の卓上カレンダー。
【請求項９】
前記ベース体に設置されているスマートフォンの本体の少なくとも一部を、前記ベース体の前面部に密接させるように前記スマートフォンの姿勢を保持する姿勢保持部を設けたことを特徴とする請求項８に記載の卓上カレンダー。
【請求項１０】
前記ベース体の前面部に、左右一対の開口部を設けたことを特徴とする請求項８又は９に記載の卓上カレンダー。
【請求項１１】
前記ベース体の前面部に、前記ベース体に設置されているスマートフォンの画面の少なくとも一部を視認可能にする窓部を設けたことを特徴とする請求項８〜１０の何れか一項に記載の卓上カレンダー。
【請求項１２】
前記ベース体の背面部に、前記ベース体に設置されているスマートフォンに接続する充電ケーブルを挿通させる貫通孔と、前記スマートフォンに接続していない状態の前記充電ケーブルの端子を係止する係止部と、を設けたことを特徴とする請求項８〜１１の何れか一項に記載の卓上カレンダー。
【発明の詳細な説明】
【技術分野】
【０００１】
本発明は、卓上カレンダーに関する。
【背景技術】
【０００２】
従来、卓上カレンダーに、写真等を収納することができるポケットを設けたものが知られている（例えば、特許文献１参照）。
この卓上カレンダーのポケットに、ユーザーが所望する写真を収納したり、時折入れ替えたりすることで、装飾性に富んだ卓上カレンダーとすることができる。
【先行技術文献】
【特許文献】
【０００３】
【特許文献１】特開２００１−１３８６６５号公報
【発明の概要】
【発明が解決しようとする課題】
【０００４】
ところで近時、卓上カレンダーのポケットに写真を収納して装飾性を付与するのとは違う、趣向性に富んだ卓上カレンダーが望まれている。
【０００５】
本発明の目的は、趣向性に富んだ卓上カレンダーを提供することである。
【課題を解決するための手段】
【０００６】
以上の課題を解決するため、請求項１に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされている卓上カレンダーであって、
前記ベース体には、スマートフォンを挿入する挿入口が設けられており、
前記挿入口から挿入されて前記ベース体に設置されたスマートフォンが出力する音声の振動が、前記ベース体に伝達されるように構成されていることを特徴とする。
【０００７】
請求項１に記載の発明によれば、ベース体に設けられている挿入口にスマートフォンを挿入して、そのベース体にスマートフォンを設置するようにすれば、卓上カレンダーをスマートフォンスタンドとして使用することができる。
そして、ベース体に設置したスマートフォンが出力する音声の振動がベース体に伝達されるように構成されているので、音声の振動が伝達されたことで振動するベース体がその音声を増幅させることができる。
このように卓上カレンダーのベース体に設置されているスマートフォンから音声を出力すれば、スマートフォン単体で音声を出力するよりも、増幅させた音声を楽しむことができる。
つまり、この卓上カレンダーは、スマートフォンスタンドとしての機能に加え、ベース体に設置したスマートフォンの音声を増幅させて楽しむことができるという趣向性に富んだ機能を有する優れたカレンダーとして使用することができる。
【０００８】
請求項２に記載の発明は、請求項１に記載の卓上カレンダーにおいて、
前記ベース体は、前記挿入口が設けられている前面部と、前記前面部との間に空間を形成する配置にある背面部と、前記前面部と前記背面部とを繋ぐように前記空間に架け渡されている連結板部とを有しており、
前記ベース体に設置されているスマートフォンが出力する音声の振動が、前記ベース体の連結板部に伝達されるように構成されていることを特徴とする。
【０００９】
請求項２に記載の発明によれば、ベース体の前面部に設けられている挿入口にスマートフォンを挿入して、そのベース体にスマートフォンを設置するようにすれば、卓上カレンダーをスマートフォンスタンドとして使用することができる。
そして、ベース体に設置したスマートフォンが出力する音声の振動が、ベース体の連結板部に伝達されるように構成されているので、そのスマートフォンが出力した音声をベース体の連結板部で増幅させて楽しむことが可能になる。
つまり、この卓上カレンダーは、スマートフォンスタンドとしての機能に加え、ベース体に設置したスマートフォンの音声を増幅させて楽しむことができるという趣向性に富んだ機能を有する優れたカレンダーとして使用することができる。
【００１０】
請求項３に記載の発明は、請求項２に記載の卓上カレンダーにおいて、
一方の端部が前記連結板部と前記前面部の連結箇所に繋がれ、他方の端部が前記連結板部と前記背面部の連結箇所に繋がれており、前記連結板部との間に空洞部を形成する配置に設けられている撓み板を備えたことを特徴とする。
【００１１】
請求項３に記載の発明によれば、連結板部で増幅させた音声の振動を、空洞部で反響させるように更に増幅させることができる。
【００１２】
請求項４に記載の発明は、請求項３に記載の卓上カレンダーにおいて、
前記撓み板は、前記前面部と前記背面部の間で前記連結板部を跨ぐアーチ状に形成されていることを特徴とする。
【００１３】
請求項４に記載の発明によれば、アーチ状の撓み板と連結板部の間の空洞部で、スマートフォンが出力する音声をより好適に反響させて良好に増幅させることができる。
【００１４】
請求項５に記載の発明は、請求項２〜４の何れか一項に記載の卓上カレンダーにおいて、
前記挿入口から前記ベース体に設置されているスマートフォンの画面の少なくとも一部が露出するように構成されていることを特徴とする。
【００１５】
請求項５に記載の発明によれば、ベース体に設置したスマートフォンの画面を挿入口から見ることができるので、例えば、動画サイトの映像とともにスマートフォンからの音声を楽しむことができる。
【００１６】
請求項６に記載の発明は、請求項２〜５の何れか一項に記載の卓上カレンダーにおいて、
前記挿入口から挿入されているスマートフォンの一部を前記ベース体の前面部に当接させるように前記スマートフォンの姿勢を保持する姿勢保持部を設けたことを特徴とする。
【００１７】
請求項６に記載の発明によれば、ベース体に設置されているスマートフォンの姿勢を安定させることができる。
また、スマートフォンから出力された音声の振動がベース体の前面部にも伝達されるので、前面部でも音声の振動を増幅させることができる。
【００１８】
請求項７に記載の発明は、請求項２〜６の何れか一項に記載の卓上カレンダーにおいて、
前記連結板部に、前記ベース体に設置されているスマートフォンに接続する充電ケーブルを挿通させる貫通孔を設けたことを特徴とする。
【００１９】
請求項７に記載の発明によれば、ベース体に設置したスマートフォンに充電ケーブルを繋ぎ易くなるので、卓上カレンダーを充電の際のスマートフォンスタンドとして好適に使用することができる。
【００２０】
請求項８に記載の発明は、請求項１に記載の卓上カレンダーにおいて、
前記ベース体は、前面部と、前記挿入口が設けられている背面部とを有しており、
前記ベース体に設置されているスマートフォンが出力する音声の振動が、前記ベース体の前面部に伝達されるように構成されていることを特徴とする。
【００２１】
請求項８に記載の発明によれば、ベース体の背面部に設けられている挿入口にスマートフォンを挿入して、そのベース体にスマートフォンを設置するようにすれば、卓上カレンダーをスマートフォンスタンドとして使用することができる。
そして、ベース体に設置したスマートフォンが出力する音声の振動が、ベース体の前面部に伝達されるように構成されているので、そのスマートフォンが出力した音声をベース体の前面部で増幅させて楽しむことが可能になる。
つまり、この卓上カレンダーは、スマートフォンスタンドとしての機能に加え、ベース体に設置したスマートフォンの音声を増幅させて楽しむことができるという趣向性に富んだ機能を有する優れたカレンダーとして使用することができる。
【００２２】
請求項９に記載の発明は、請求項８に記載の卓上カレンダーにおいて、
前記ベース体に設置されているスマートフォンの本体の少なくとも一部を、前記ベース体の前面部に密接させるように前記スマートフォンの姿勢を保持する姿勢保持部を設けたことを特徴とする。
【００２３】
請求項９に記載の発明によれば、スマートフォンが出力する音声の振動を好適にベース体の前面部に伝達させて増幅させることができる。
【００２４】
請求項１０に記載の発明は、請求項８又は９に記載の卓上カレンダーにおいて、
前記ベース体の前面部に、左右一対の開口部を設けたことを特徴とする。
【００２５】
請求項１０に記載の発明によれば、ベース体の前面部に設けられている左右一対の開口部を、ステレオスピーカーのように見立てることができるので、視覚的に卓上カレンダー（ベース部）をスピーカー装置として認識するようにしてスマートフォンからの音声を楽しむことができる。
【００２６】
請求項１１に記載の発明は、請求項８〜１０の何れか一項に記載の卓上カレンダーにおいて、
前記ベース体の前面部に、前記ベース体に設置されているスマートフォンの画面の少なくとも一部を視認可能にする窓部を設けたことを特徴とする。
【００２７】
請求項１１に記載の発明によれば、ベース体に設置したスマートフォンの画面を前面部の窓部から見ることができるので、例えば、動画サイトの映像とともにスマートフォンからの音声を楽しむことができる。
【００２８】
請求項１２に記載の発明は、請求項８〜１１の何れか一項に記載の卓上カレンダーにおいて、
前記ベース体の背面部に、前記ベース体に設置されているスマートフォンに接続する充電ケーブルを挿通させる貫通孔と、前記スマートフォンに接続していない状態の前記充電ケーブルの端子を係止する係止部と、を設けたことを特徴とする。
【００２９】
請求項１２に記載の発明によれば、スマートフォンを携帯して使用する場合に、そのスマートフォンを卓上カレンダーのベース体から抜き取った後、スマートフォンに接続していない状態の充電ケーブルの端子を係止部に係止しておけば、次にスマートフォンを卓上カレンダーのベース体に設置する際に、充電ケーブルの端子をスマートフォンのコネクタに速やかに繋ぐことができる。
つまり、充電ケーブルを卓上カレンダーと一体にしておくことで、その卓上カレンダーを充電の際のスマートフォンスタンドとしても好適に使用することができる。
【発明の効果】
【００３０】
本発明によれば、趣向性に富んだ卓上カレンダーが得られる。
【図面の簡単な説明】
【００３１】
【図１】実施形態１の卓上カレンダーを示す斜視図である。
【図２】実施形態１の卓上カレンダーのベース体の前面部を示す斜視図（ａ）と、その前面部を一部破断視してベース体の撓み板を示す斜視図（ｂ）である。
【図３】卓上カレンダーにスマートフォンを設置した状態を示す斜視図であり、卓上カレンダーのスピーカーとしての機能を示している。
【図４】卓上カレンダーにスマートフォンを設置した状態を示す側面図である。
【図５】卓上カレンダーを折り畳んだ形態を示す側面図である。
【図６】実施形態２の卓上カレンダーの前面側を示す斜視図（ａ）と、卓上カレンダーの後面側を示す斜視図（ｂ）である。
【図７】卓上カレンダーにスマートフォンを設置した状態を示す斜視図である。
【図８】卓上カレンダーにスマートフォンを設置した状態を示す側面図である。
【図９】卓上カレンダーのスピーカーとしての機能を示す斜視図である。
【図１０】卓上カレンダーの一使用形態を示す斜視図である。
【図１１】卓上カレンダーの変形例を示す斜視図である。
【発明を実施するための形態】
【００３２】
以下、図面を参照して、本発明に係る卓上カレンダーの実施形態について詳細に説明する。但し、以下に述べる実施形態には、本発明を実施するために技術的に好ましい種々の限定が付されているが、本発明の範囲を以下の実施形態及び図示例に限定するものではない。
本実施形態の卓上カレンダー１００は、スマートフォンスタンドとして使用することを可能にしたものである。
【００３３】
（実施形態１）
図１は、実施形態１の卓上カレンダー１００を示す斜視図であり、図２（ａ）（ｂ）は、その卓上カレンダー１００のベース体１０を示す斜視図である。
図３は、卓上カレンダー１００にスマートフォンＳを設置した状態を示す斜視図であり、図４は、卓上カレンダー１００にスマートフォンＳを設置した状態を示す側面図である。
【００３４】
卓上カレンダー１００は、図１に示すように、上縁側に複数の孔Ｈが形成されているベース体１０と、一辺側に複数の孔Ｈが形成されている複数枚のカレンダー用紙２０とを備え、そのベース体１０と複数枚のカレンダー用紙２０がそれぞれの孔Ｈを貫く綴じ具３０によって綴じられている。
【００３５】
ベース体１０は、所定箇所に切欠きが設けられている硬質紙（厚台紙）を、例えば、側面視略「Ａ」字形状を呈するように、折り曲げて形成した部材である。
ベース体１０は、前面部１２と背面部１３と連結板部１５と撓み板１６を有している。
このベース体１０の前面部１２に後述する挿入口１１が設けられている。また、背面部１３は前面部１２との間に空間を形成する配置にあって、連結板部１５は前面部１２と背面部１３とを繋ぐようにその空間に架け渡されている。
具体的に、前面部１２と背面部１３の境と、前面部１２と背面部１３のそれぞれの下端で硬質紙が山折りされ、連結板部１５の両側で硬質紙が谷折りされており、前面部１２の下端側と背面部１３の下端側の硬質紙が二重になるように接着されて、前面部１２と背面部１３とを繋ぐ配置に連結板部１５が形成されている。
【００３６】
また、山折りされた状態で前面部１２と一体になっている硬質紙の一部が撓み板１６となる。
撓み板１６は、一方の端部が連結板部１５と前面部１２の連結箇所に繋がれ、他方の端部が連結板部１５と背面部１３の連結箇所に繋がれており、連結板部１５との間に空洞部１７を形成する配置に設けられている。
具体的に、撓み板１６の寸法は、前面部１２と背面部１３を繋ぐ連結板部１５の寸法よりも長いので、撓み板１６を曲面状に撓らせたアーチ状にして、前面部１２と背面部１３の間で連結板部１５を跨ぐように組み付けられている。
この撓み板１６の先端部には突片１６ａが形成されており、その突片１６ａを連結板部１５の係止スリット１５ａに挿し込むように係止して、アーチ状の撓み板１６を形成している。なお、係止スリット１５ａは、連結板部１５が背面部１３と接する位置に設けられている（図２（ｂ）参照）。
【００３７】
また、連結板部１５のほぼ中央には折り目１５Ｌが形成されており、収納時などにベース体１０の厚さを薄くするように折り畳み可能となっている。
例えば、図５に示すように、連結板部１５の係止スリット１５ａから撓み板１６の突片１６ａを外した状態で、その突片１６ａを綴じ具３０側に向けるように撓み板１６を平板状にしつつ、連結板部１５の折り目１５Ｌを谷折りするようにして、ベース体１０（卓上カレンダー１００）を折り畳むことができる。
なお、ベース体１０は紙製であることに限らず、薄い樹脂板を折り曲げて形成したものでもよい。
【００３８】
図２（ａ）に示すように、ベース体１０の前面部１２には、スマートフォンＳを挿入するための挿入口１１が設けられている。
挿入口１１は、略「エ」字形状を呈するように、前面部１２を切り欠いて形成した開口であり、挿入口１１の左右両側には略スイングドア状の姿勢保持部１２ｃが設けられている。なお、この挿入口１１を形成するのに背面部１３の上縁の一部も切り欠かれている。
この姿勢保持部１２ｃは、前面部１２の一部を背面部１３側に向けて折り曲げるように撓ませて形成した部分であり、姿勢保持部１２ｃの下縁と前面部１２の間のスリット開口部分を含む範囲が狭義の挿入口１１であるといえる。
そして、この姿勢保持部１２ｃは、前面部１２の硬質紙が山折り状に撓まされて形成されているため、その折り曲げられた箇所が復元しようと反発する作用を有しているので、挿入口１１に挿入されたスマートフォンＳは、姿勢保持部１２ｃによって前面部１２の内面に向けて付勢されるようになる。
【００３９】
また、図２（ｂ）に示すように、撓み板１６には、挿入口１１から挿入されたスマートフォンＳを連結板部１５に当接させるために、そのスマートフォンＳを挿通させる挿通口１６ｂが設けられている。
なお、挿通口１６ｂに挿通されているスマートフォンＳと挿通口１６ｂの縁とが接触するように、挿通口１６ｂの形状やサイズを調整することで、挿入口１１から挿入されたスマートフォンＳを撓み板１６で支持することができ、そのスマートフォンＳの姿勢を安定させることができる。
【００４０】
また、図２（ｂ）に示すように、連結板部１５には、ベース体１０に設置されているスマートフォンＳに接続する充電ケーブルＣを挿通させる貫通孔１５ｂが設けられている。本実施形態の貫通孔１５ｂは、連結板部１５が前面部１２と接する位置に設けられている。
【００４１】
カレンダー用紙２０は、例えば少なくとも一方の面に暦の情報が印刷されている洋紙である。
複数枚のカレンダー用紙２０はリング状の綴じ具３０によってベース体１０に綴じられており、そのカレンダー用紙２０が１枚ずつ回動されて、ベース体１０の前面部１２側から背面部１３側へ移動可能になっている。
【００４２】
綴じ具３０は、例えば、金属材料、樹脂材料あるいは紙材料からなり、ベース体１０に複数枚のカレンダー用紙２０を回動可能に保持している。
この綴じ具３０は、複数のリング部材からなるものであっても、複数のリング部が一体に形成された部材であってもよい。
実施形態１の卓上カレンダー１００では、ベース体１０の上縁側に４つの孔Ｈが２組形成されており、そのベース体１０の孔Ｈに対応するように、複数枚のカレンダー用紙２０の一辺側に４つの孔Ｈが２組形成されている。
そして、４つのリング部がＯ字に一体に形成されている２つの綴じ具３０によって、複数枚のカレンダー用紙２０がベース体１０に回動可能に綴じられている。
【００４３】
次に、実施形態１の卓上カレンダー１００を使用する態様について説明する。
【００４４】
図３、図４に示すように、卓上カレンダー１００のベース体１０の前面部１２に設けられている挿入口１１にスマートフォンＳを挿入し、スマートフォンＳを連結板部１５に突き当ててベース体１０に設置するようにすれば、この卓上カレンダー１００をスマートフォンスタンドとして使用することができる。
そして、連結板部１５の貫通孔１５ｂから挿し入れた充電ケーブルＣの端子ＴをスマートフォンＳのコネクタに繋げて充電することもできる。
このように、卓上カレンダー１００をスマートフォンスタンドとして使用する習慣を身につければ、スマートフォンＳをうっかりどこかに置き忘れてしまうようなトラブルを減らすことができる。
【００４５】
特に、この卓上カレンダー１００のベース体１０を、硬質紙（厚台紙）あるいは樹脂板を折り曲げて形成したことによって、ベース体１０に設置したスマートフォンＳが出力する音声の振動が、ベース体１０の連結板部１５に伝達されて、その音声が増幅されるようになっている。
具体的に、硬質紙（厚台紙）や樹脂板は、音の振動を伝達し易い材料であるので、ベース体１０の挿入口１１にスマートフォンＳを挿し込んで、そのスマートフォンＳの本体の一部を連結板部１５に当接させた状態でスマートフォンＳから音声を出力すれば、その音声の振動がベース体１０の連結板部１５に伝達され、その振動が伝達されたことで振動した連結板部１５で音声が増幅されるようになっている。
また、ベース体１０の連結板部１５と撓み板１６の間には空洞部１７が設けられているので、この空洞部１７で音声が反響するように増幅されるようになっている。撓み板１６は、例えば硬質紙を撓らせたアーチ状であるため、空洞部１７で良好に音声を反響させることができる。
更に、スマートフォンＳは、前面部１２とも接触しており、特に姿勢保持部１２ｃによって前面部１２の内面に向けて付勢されているので、スマートフォンＳから出力された音声の振動がベース体１０の前面部１２に伝達され、前面部１２でも増幅されるようになっている。
【００４６】
そして、図３に示すように、ベース体１０の挿入口１１にスマートフォンＳを挿し込んだ状態で音声を出力すれば、スマートフォンＳ単体で音声を出力するよりも、増幅させた音声を楽しむことができる。このとき、ベース体１０の前面部１２側にカレンダー用紙２０があっても、増幅された音声は空洞部１７から放出されるので、その音声を好適に楽しむことができる。
【００４７】
また、図３に示すように、ベース体１０の前面部１２側にあるカレンダー用紙２０を回動させ、ベース体１０の背面部１３側へ移動させた状態でスマートフォンＳから音声を出力してもよい。
ベース体１０の前面部１２に設けられている挿入口１１からベース体１０に設置されているスマートフォンＳの画面の少なくとも一部が露出するように構成されており、挿入口１１はスマートフォンＳの画面の少なくとも一部を視認可能にする窓部としての機能を有しているので、例えば、動画サイトの映像とともにスマートフォンＳからの音声を楽しむことができる。
【００４８】
以上のように、実施形態１の卓上カレンダー１００であれば、ベース体１０の前面部１２に設けられている挿入口１１にスマートフォンＳを挿入して、ベース体１０にスマートフォンＳを設置することができ、卓上カレンダー１００をスマートフォンスタンドとして使用することができる。
特に、この卓上カレンダー１００のベース体１０にスマートフォンＳを設置した状態でスマートフォンＳから音声を出力すれば、そのスマートフォンＳが出力した音声の振動がベース体１０の連結板部１５に伝達されて、音声が増幅されるようになっているので、スマートフォンＳ単体で音声を出力するよりも、増幅させた音声を楽しむことができる。
【００４９】
このように、実施形態１の卓上カレンダー１００は、スピーカー機能を有しているスマートフォンスタンドとして使用することができる。
つまり、この卓上カレンダー１００は、スマートフォンスタンドとしての機能に加え、ベース体１０に設置したスマートフォンＳの音声を増幅させて楽しむことができるという趣向性に富んだ機能を有している優れたカレンダーである。
【００５０】
なお、本発明は上記実施形態に限られるものではない。
例えば、上に凸となるアーチ状の撓み板１６を連結板部１５の上面側に設けることに限らず、下に凸となるアーチ状の撓み板１６を連結板部１５の下面側に設けるようにしてもよい。
【００５１】
また、ベース体１０の前面部１２に左右一対の開口部を設けてもよい。
その一対の開口部をステレオスピーカーのように見立てるようにすれば、視覚的に卓上カレンダー１００（ベース部１０）をスピーカー装置として認識するようにしてスマートフォンＳからの音声を楽しむことができる。
また、ベース体１０の前面部１２にステレオスピーカーのイラストをプリントしたり、ステレオスピーカーのステッカーを貼付したりするなどしてもよい。
【００５２】
（実施形態２）
次に、本発明に係る卓上カレンダーの実施形態２について説明する。なお、実施形態１と同様の構成については、同符号を付して説明を割愛する。
【００５３】
図６（ａ）は、実施形態２の卓上カレンダー１００の前面側を示す斜視図であり、図６（ｂ）は、その卓上カレンダー１００の後面側を示す斜視図である。
【００５４】
卓上カレンダー１００は、図６（ａ）（ｂ）に示すように、上縁側に複数の孔Ｈが形成されているベース体１０と、一辺側に複数の孔Ｈが形成されている複数枚のカレンダー用紙２０とを備え、そのベース体１０と複数枚のカレンダー用紙２０がそれぞれの孔Ｈを貫く綴じ具３０によって綴じられている。
【００５５】
ベース体１０は、所定箇所に切欠きが設けられている硬質紙（厚台紙）を、例えば、側面視略「ｂ」字形状（あるいは側面視略「ｄ」字形状）を呈するように、折り曲げて形成した部材である。
ベース体１０は、前面部１２と背面部１３と底面部１４を有している。このベース体１０の背面部１３は前面部１２との間に空間を形成する配置にあって、その背面部１３に後述する挿入口１１が設けられている。
具体的に、前面部１２と底面部１４の境と、背面部１３と底面部１４の境で硬質紙が山折りされ、背面部１３のほぼ中央の谷折り線１３Ｌで硬質紙が谷折りされており、背面部１３の上半分と前面部１２の上半分の硬質紙が二重になるように接着されている。この前面部１２と背面部１３の上縁が二重になった部分がベース体１０の上縁となる。
また、底面部１４のほぼ中央には折り目１４Ｌが形成されており、収納時などにベース体１０の厚さを薄くするように折り畳み可能となっている。
なお、ベース体１０は紙製であることに限らず、薄い樹脂板を折り曲げて形成したものでもよい。
【００５６】
図６（ａ）に示すように、ベース体１０の前面部１２の下側には、左右一対の開口部１２ａが設けられている。
また、図６（ｂ）、図９に示すように、ベース体１０の前面部１２には、ベース体１０に設置したスマートフォンＳの画面を視認可能にする窓部１２ｂが設けられている。
また、図６（ｂ）に示すように、ベース体１０の背面部１３には、前面部１２の窓部１２ｂの裏側に相当する位置に裏窓１３ａが設けられている。
そして、裏窓１３ａの下であって、背面部１３の谷折り線１３Ｌよりも下側の硬質紙を山折りし、背面部１３の一部を前面部１２側に向けて折り込んでなる姿勢保持部１３ｂが形成されている。
この姿勢保持部１３ｂを折り込むことで背面部１３に設けられた開口部分が、スマートフォンＳを挿入する挿入口１１となる。
そして、この姿勢保持部１３ｂは、背面部１３の硬質紙が山折りされて形成されているため、その山折りされた箇所が復元しようと反発する作用を有しているので、挿入口１１に挿入されたスマートフォンＳは、姿勢保持部１３ｂによって前面部１２に向けて付勢されるようになる。
なお、姿勢保持部１３ｂを形成する際、背面部１３の硬質紙を山折りする長さを調整することで、スマートフォンＳのサイズに応じた挿入口１１を形成することが可能になっている。
【００５７】
また、背面部１３における姿勢保持部１３ｂを含む箇所に切欠きを形成してなる係止部１３ｃが設けられている。
また、背面部１３の下側には、ベース体１０に設置したスマートフォンＳに接続する充電ケーブルＣを挿通させる貫通孔１３ｄが設けられている。
【００５８】
カレンダー用紙２０は、例えば少なくとも一方の面に暦の情報が印刷されている洋紙である。
複数枚のカレンダー用紙２０はリング状の綴じ具３０によってベース体１０に綴じられており、そのカレンダー用紙２０が１枚ずつ回動されて、ベース体１０の前面部１２側から背面部１３側へ移動可能になっている。
【００５９】
綴じ具３０は、例えば、金属材料、樹脂材料あるいは紙材料からなり、ベース体１０に複数枚のカレンダー用紙２０を回動可能に保持している。
この綴じ具３０は、複数のリング部材からなるものであっても、複数のリング部が一体に形成された部材であってもよい。
実施形態２の卓上カレンダー１００では、ベース体１０の上縁側に５つの孔Ｈが２組形成されており、そのベース体１０の孔Ｈに対応するように、複数枚のカレンダー用紙２０の一辺側に５つの孔Ｈが２組形成されている。
そして、５つのリング部がＯ字に一体に形成されている２つの綴じ具３０によって、複数枚のカレンダー用紙２０がベース体１０に回動可能に綴じられている。
【００６０】
次に、実施形態２の卓上カレンダー１００を使用する態様について説明する。
【００６１】
図７、図８に示すように、卓上カレンダー１００のベース体１０の背面部１３に設けられている挿入口１１にスマートフォンＳを挿入して、ベース体１０にスマートフォンＳを設置するようにすれば、この卓上カレンダー１００をスマートフォンスタンドとして使用することができる。
そして、背面部１３の貫通孔１３ｄから挿し入れた充電ケーブルＣの端子ＴをスマートフォンＳのコネクタに繋げて充電することもできる。
このように、卓上カレンダー１００をスマートフォンスタンドとして使用する習慣を身につければ、スマートフォンＳをうっかりどこかに置き忘れてしまうようなトラブルを減らすことができる。
【００６２】
特に、この卓上カレンダー１００のベース体１０を、硬質紙（厚台紙）あるいは樹脂板を折り曲げて形成したことによって、ベース体１０に設置したスマートフォンＳが出力する音声の振動が、ベース体１０の前面部１２に伝達されて、その音声が増幅されるようになっている。
具体的に、硬質紙（厚台紙）や樹脂板は、音の振動を伝達し易い材料であるので、ベース体１０の挿入口１１にスマートフォンＳを挿し込んで、そのスマートフォンＳの本体の一部を前面部１２に密接させた状態でスマートフォンＳから音声を出力すれば、その音声の振動がベース体１０の前面部１２に伝達され、その振動が伝達されたことで振動した前面部１２で音声が増幅されるようになっている。また、ベース体１０の前面部１２と背面部１３の間であって底面部１４の上方には空間が設けられているので、この空間（空洞）で音声が反響するように増幅されるようになっている。
【００６３】
更に、実施形態２の卓上カレンダー１００には、ベース部１０の背面部１３に姿勢保持部１３ｂが設けられており、この姿勢保持部１３ｂが挿入口１１に挿し込まれたスマートフォンＳをベース体１０の前面部１２に向けて押し付けて固定し、そのスマートフォンＳの画面（タッチパネル面）を前面部１２に密接させてその姿勢を保持するので、スマートフォンＳが出力する音声の振動を好適にベース体１０の前面部１２に伝達させて増幅させることができる。
【００６４】
そして、図９に示すように、ベース体１０の前面部１２側にあるカレンダー用紙２０を回動させ、ベース体１０の背面部１３側へ移動させた状態でスマートフォンＳから音声を出力すれば、スマートフォンＳ単体で音声を出力するよりも、増幅させた音声を楽しむことができる。
このとき、ベース体１０の前面部１２に設けられている左右一対の開口部１２ａを、ステレオスピーカーのように見立てることができるので、視覚的に卓上カレンダー１００（ベース部１０）をスピーカー装置として認識するようにしてスマートフォンＳからの音声を楽しむことができる。
また、ベース体１０の前面部１２には窓部１２ｂが設けられており、ベース体１０に設置したスマートフォンＳの画面の少なくとも一部が視認可能になっているので、例えば、動画サイトの映像とともにスマートフォンＳからの音声を楽しむことができる。
【００６５】
また、スマートフォンＳを携帯して使用する場合に、そのスマートフォンＳを卓上カレンダー１００のベース体１０から抜き取った後、図１０に示すように、スマートフォンＳに接続していない状態の充電ケーブルＣの端子Ｔを係止部１３ｃに係止しておけば、次にスマートフォンＳを卓上カレンダー１００のベース体１０に設置する際に、充電ケーブルＣの端子ＴをスマートフォンＳのコネクタに速やかに繋ぐことができる。
つまり、充電ケーブルＣを卓上カレンダー１００と一体にしておくことで、充電ケーブルＣを探す手間を省くことができるので、この卓上カレンダー１００をスマートフォンスタンドとして好適に使用することができる。
【００６６】
以上のように、実施形態２の卓上カレンダー１００であれば、ベース体１０の背面部１３に設けられている挿入口１１にスマートフォンＳを挿入して、ベース体１０にスマートフォンＳを設置することができ、卓上カレンダー１００をスマートフォンスタンドとして使用することができる。
特に、この卓上カレンダー１００のベース体１０にスマートフォンＳを設置した状態でスマートフォンＳから音声を出力すれば、そのスマートフォンＳが出力した音声の振動がベース体１０の前面部１２に伝達されて、音声が増幅されるようになっているので、スマートフォンＳ単体で音声を出力するよりも、増幅させた音声を楽しむことができる。
【００６７】
このように、実施形態２の卓上カレンダー１００は、スピーカー機能を有しているスマートフォンスタンドとして使用することができる。
つまり、この卓上カレンダー１００は、スマートフォンスタンドとしての機能に加え、ベース体１０に設置したスマートフォンＳの音声を増幅させて楽しむことができるという趣向性に富んだ機能を有している優れたカレンダーである。
【００６８】
なお、本発明は上記実施形態に限られるものではない。
例えば、図１１に示すように、ベース体１０の前面部１２に設ける左右一対の開口部１２ａは、小さな開口が群を成している開口部１２ａであってもよい。また、これに限らず、開口部１２ａのサイズや形状は任意である。
また、前面部１２に開口部１２ａを設けなくてもよい。
【００６９】
なお、以上の実施の形態においては、ベース体１０の前面部１２側にカレンダー用紙２０が掲示されている状態で、ベース体１０の前面部１２に設けた左右一対の開口部１２ａは視認可能に露出する箇所にあるが、本発明はこれに限定されるものではなく、前面部１２の開口部１２ａはカレンダー用紙２０で隠れる箇所にあってもよい。
【００７０】
また、ベース体１０の前面部１２に設けた窓部１２ｂのサイズや形状は、本実施形態に限定されるものではなく、前面部１２の窓部１２ｂのサイズや形状は任意である。
【００７１】
上述したように、本実施形態の卓上カレンダー１００は、スマートフォンスタンドとしての機能に加え、ベース体１０に設置したスマートフォンＳの音声を増幅させて楽しむことができるという趣向性に富んだ機能を有している。
【００７２】
また、その他、具体的な細部構造等についても適宜に変更可能であることは勿論である。
【符号の説明】
【００７３】
１０    ベース体
１１    挿入口
１２    前面部
１２ａ  開口部
１２ｂ  窓部
１２ｃ  姿勢保持部
１３    背面部
１３ａ  裏窓
１３ｂ  姿勢保持部
１３ｃ  係止部
１３ｄ  貫通孔
１３Ｌ  谷折り線
１４    底面部
１４Ｌ  折り目
１５    連結板部
１５ａ  係止スリット
１５ｂ  貫通孔
１５Ｌ  折り目
１６    撓み板
１６ａ  突片
１６ｂ  挿通口
１７    空洞部
２０    カレンダー用紙
３０    綴じ具
１００  卓上カレンダー
Ｈ      孔
Ｓ      スマートフォン
Ｃ      充電ケーブル
Ｔ      端子
【図１】
2017109467.tif 000003
【図２】
2017109467.tif 000004
【図３】
2017109467.tif 000005
【図４】
2017109467.tif 000006
【図５】
2017109467.tif 000007
【図６】
2017109467.tif 000008
【図７】
2017109467.tif 000009
【図８】
2017109467.tif 000010
【図９】
2017109467.tif 000011
【図１０】
2017109467.tif 000012
【図１１】
2017109467.tif 000013